(57)【要約】【課題】連続衝撃／送出液体薬剤注射器を提供すること。【解決手段】ジェット式注射器により注射され注入される薬剤を提供するための装置及び２段階連続方法は、注射器システムをリザーバに接続するカセットを含む。カセットは、カセット下部本体とカセット上部本体との境界面に流体経路を形成する。さらに、カセットは、ノズルが通じる衝撃チャンバを形成する。流体経路は、リザーバと衝撃チャンバとを相互に接続する。薬剤がリザーバから流体経路に沿って流れ、衝撃チャンバに流入する。衝撃発生器からの力により、液体薬剤が衝撃チャンバからノズルを通り、ノズル先端部の開口から押し出されて、患者の皮膚に注入される。ジェット式注射器により発生する圧力波がガラス・リザーバに損傷を与えるのを防ぐために、流体経路に圧力減衰器が形成される。【選択図】図２
2005087722.tif 000002
【特許請求の範囲】
【請求項１】
液体薬剤が充填されたリザーバを、第１の開口と第２の開口とを有する流体経路が形成された本体部材に流体連通させ、前記リザーバを前記流体経路の前記第１の開口に係合させるステップと、
衝撃チャンバと前記経路の前記第２の開口との流体連通を確立するステップと、
液体薬剤の一部投与量を前記リザーバから前記経路を通して前記衝撃チャンバ内へ移送して、残りの投与量を前記リザーバ内に残すステップと、
液体薬剤の前記一部投与量を前記衝撃チャンバからノズルを通して第１の液圧で注射するステップと、
前記残りの投与量を前記リザーバから前記ノズルを通して第２の液圧で注入するステップとを含み、前記第１の液圧が前記第２の液圧よりも大きい、液体薬剤を注入するための方法。
【請求項２】
前記一部投与量の流体体積が１〜２０マイクロリットルの範囲にあり、前記残りの投与量の流体体積が、前記一部投与量の流体体積の少なくとも２倍である、請求項１に記載の方法。
【請求項３】
摺動可能に配置されて前記衝撃チャンバ内へ進むプランジャと、
前記プランジャに衝突して前記一部投与量に前記第１の液圧を発生させるラムとを含む衝撃発生器を使用して、前記注射ステップが達成される、請求項１に記載の方法。
【請求項４】
前記注射ステップと前記注入ステップとが続けて達成され、ほぼ連続した液体薬剤の流れを提供する、請求項１に記載の方法。
【発明の詳細な説明】
【技術分野】
【０００１】
本発明は、一般に医療装置に関する。特に、本発明は、患者の組織に薬剤を投与するための医療装置に関する。本発明は、特に、ジェット式注射器のための薬剤リザーバとして有用であるが、これに限定されるものではない。
【背景技術】
【０００２】
注射により液体薬剤を皮下又は筋肉内に送出することが、医療分野で一般に行われている。インスリンのように、個人に頻繁に注射しなければならない薬剤がある。多くの場合、このような注射は患者自身が行う。また、予防接種のように大勢の人に注射を行う場合もある。いずれの場合にも、注射が容易に達成されることが望ましい。
【０００３】
針に対する痛み、恐怖、不安から、針注射を嫌がる患者が多い。さらに、針注射に関連する重大な危険があることが実践からわかっている。例えば、穿刺事故によって、ＨＩＶや肝炎等の血液により運ばれる病原体が医療従事者に移るおそれがある。穿刺事故の危険性が非常に高い特別な環境として、救急室、郡立病院、集団予防接種会場等がある。また、使用済み針の処理もますます問題となってきている。針の処理は、医療従事者以外の個人にとって問題となる。例えば、子供がごみの中に使用済み針を見つけた場合、感染症にかかる危険がある。同様に、廃棄された針は廃棄物処理作業員に危険を及ぼす。
【０００４】
一般に、注射可能な薬剤は、不活性ゴム・ストッパで密閉されたガラス瓶に入って供給される。液体薬剤を投与するために、ユーザは、液体薬剤をガラス瓶から、シリンジ及び針、又は無針ジェット式注射器のシリンジ等の液体薬剤送出装置に移さなければならない。液体薬剤の移送には人件費がかかるため、病院や診療所で行う注射の費用がかさむ。大勢の人に予防接種を行うには、１時間に何回も注射を行う必要があるため、液体薬剤の移送により大きな時間の制約が生じる。１日に複数回のインスリン注射が必要な糖尿病患者等の、液体薬剤を自己投与しなければならない患者にとって、液体薬剤の移送は不便である。また、移送の度に、移送し投与する液体薬剤の量を間違えるおそれもある。
【０００５】
ガラス瓶から液体薬剤を移送するのをやめようとして、事前充填ガラス・カートリッジが開発されている。このような事前充填カートリッジは、シリンジと同様の設計である。一端部が閉鎖されて、針又は不活性ゴム・ストッパを含む。針が一体化されていない場合、ゴム・ストッパを穿刺する針サブアセンブリが使用前に取り付けられる。可動ゴム・プランジャが針と反対側の端部を閉鎖する。液体薬剤を投与するために、ホルダと、可動ゴム・プランジャと接するドライバとから構成される装置に事前充填カートリッジが配置される。ユーザは、プランジャを押し下げて薬剤を分配する。
【０００６】
事前充填カートリッジの使用の一例は、１日に複数回のインスリン注射を行う糖尿病患者の治療にある。事前充填カートリッジは数日分に十分な量のインスリンを含む。インスリンは、インスリンを注射するためのペン型装置であるペン型注射器を使用して、事前充填カートリッジから送出される。しかし、事前充填カートリッジの欠点は、皮膚を穿刺して薬剤を標的組織に送出するために針を使用する必要があることである。
【０００７】
針注射に関連する恐怖や危険を最小限にしようとして、複数のタイプの無針ジェット式注射器が開発されている。これらの装置は、高速液体ジェットを使用して皮膚を穿刺し、患者の組織に薬剤を送出する。これを達成するために、液体薬剤に力が加えられる。一般に、ジェット式注射器は、一端部に小さな開口を有するチャンバに移送された液体薬剤を含む。ラムがコイルばね又は圧縮ガス・エネルギー源を使用して加速される。ラムはプランジャに衝突し、プランジャはチャンバ内に高圧衝撃を発生させる。この圧力衝撃により、液体薬剤が開口を通して高速で排出されて皮膚を穿刺する。エネルギー源がプランジャに力を加え続けることにより、皮膚の開口を通して薬剤を急速に進ませて、瞬時にシリンジを空にする。
【０００８】
複数回分の薬剤を含むガラス瓶も事前充填カートリッジも既存のジェット式注射器と共に使用することはできない。これは、エネルギー源から大量の衝撃エネルギーが伝達されるためである。カートリッジのガラス壁に直接衝突することはないが、このガラス壁はラムがプランジャに衝突するときに発生する大きな振幅の圧力波に耐えるのに十分な強度を持っていない。高圧により生じる応力に耐えるために、既存のジェット式注射器のシリンジは、ポリカーボネート等の耐衝撃性プラスチックから成形された厚い壁を有する。
【０００９】
注射システムにより送出される液体薬剤の量は正確でなければならないことが公知である。このために、読みやすくして薬剤の投与量を正確にするように印をつけた種々のサイズの手動シリンジを使用することができる。ジェット式注射器のための制御機構は、使い捨ての単回投与を意図するか否かによって異なる。複数回投与の場合には、分配される液体薬剤の量の制御がより複雑になる。
【発明の開示】
【発明が解決しようとする課題】
【００１０】
前記の点を鑑みて、本発明の目的は、ジェット式注射器システムと共に使用する薬剤リザーバを提供することである。本発明の別の目的は、ラムがプランジャに衝突するときに発生する圧力波からリザーバを隔離するためのジェット式注射器アセンブリを提供することである。本発明の更なる目的は、既存の事前充填カートリッジを使用することのできるジェット式注射器システムを提供することである。本発明のさらに別の目的は、複数回投与瓶から液体薬剤を直接引き出す仕事量の高い注射器を提供することである。
【００１１】
本発明の別の目的は、所定量の薬剤を送出するための、正確で使用しやすい制御機構を提供することである。本発明のさらに別の目的は、製造及び使用が比較的容易で比較的経済的な、別個のリザーバを持つ液体薬剤ジェット式注射器を提供することである。
【課題を解決するための手段】
【００１２】
液体薬剤を患者に注射するためのジェット式注射器アセンブリは、ジェット式注射器と薬剤リザーバとを相互に接続するカセット装置を含む。詳細には、装置は、上部本体と、上部本体に取り付けられた下部本体とを有して、上部本体と下部本体との境界面に流体経路を形成する。流体経路は第１の開口と第２の開口とを有する。リザーバは、流体経路の第１の開口で装置の上部本体に取り付けられる。スパイクが装置の上部本体からリザーバ内へ延びる。このスパイクには縦チャネルが形成され、リザーバと流体経路との流体連通が確立されるように中空になっている。
【００１３】
下端部にゴム・ストッパ、上端部にゴム・プランジャを有する事前充填カートリッジが、リザーバ内に配置される。カートリッジのゴム・ストッパはスパイクにより穿刺される。これにより、液体薬剤がリザーバからスパイクのチャネルを通して流体経路に沿って流れ、衝撃チャンバに流入する。
【００１４】
さらに詳細には、上部本体と下部本体との間に延びる衝撃チャンバが装置に形成される。先端部が形成されたノズルが装置の下部本体から延びて、衝撃チャンバと先端部の開口との流体連通を確立する。液体薬剤は、衝撃チャンバからノズルを通して押し出され、先端部の開口で皮膚に到達する。また、下部本体には、患者の皮膚とカセットとの境界面を成す真空が形成される。真空は先端部を囲み、注射に備えて装置の皮膚との間に吸引を生じさせる。
【００１５】
一般に、ジェット式注射器は、エネルギー源又は衝撃発生器を必要とする。動作時に、ラムが衝撃発生器から突出して、衝撃チャンバ内に形成されたプランジャに嵌入する。注射を開始するために、衝撃発生器は蓄積エネルギーを使用してラムを加速し、次いでラムがプランジャに衝突する。結果として生じる圧力により、液体薬剤が高速で排出されて患者の皮膚を穿刺する。
【００１６】
従来、皮膚を穿刺して注射を開始するのに必要な圧力があると、ガラス瓶や事前充填カートリッジを使用できなかったことが理解できる。これは、本発明に見られるように、ラムが衝撃チャンバ内のプランジャに衝突するときにラムにより生じる衝撃が圧力波を発生させるためである。この圧力波は流体経路を通ってリザーバに戻る。大きな振幅の圧力波は、リザーバ内のガラス瓶や事前充填カートリッジにひびや損傷を与えるおそれがある。しかし、本発明の装置はこの圧力波を減衰させるように設計され、ガラス・カートリッジやガラス瓶をリザーバ内で破損せずに使用できるようにする。
【００１７】
本発明によって想定されるように、リザーバ内の液体薬剤は、流体経路を複数の方法で妨害することによって、圧力波から水力学的に保護される。好ましい実施例では、衝撃チャンバとリザーバとの間に曲がりくねった流体経路が作られる。リザーバ内のガラス容器を損傷から保護するために、この経路に湾曲又は直角を形成して圧力波を逸らすことができる。これと同様の減衰を達成するための他の態様は、特に、逆止弁、又は流体経路の径を小さくすることにより生じるような高い抵抗を含む。
【００１８】
リザーバを持つジェット式注射器の動作には、連係する２段階の注射が必要である。第１段階で皮膚が穿刺され、第２段階で液体薬剤が送出機構により送出される。送出機構は、測定量の液体薬剤をリザーバから衝撃チャンバ及びノズルを通してゆっくりと先端部へ分配する。液体薬剤は先端部を通って流れ、開口で患者の組織に流入する。
【００１９】
注射の第２段階を完了するために、本発明は、液体薬剤をリザーバから計量して放出する制御要素をさらに想定する。総投与量カートリッジを使用すると、衝撃力と送出力の両方がカセット・プランジャに加わり、注射の両段階を同一の機構により達成することができる。この場合、注射する液体薬剤の総投与量が、リザーバ内のカートリッジから衝撃チャンバに移送される。一実施例では、摘みホイール、ねじ−ラチェット等の手動機構を使用して、カートリッジから薬剤を放出する。単一のばね式又はガス式押込機構を衝撃発生器として使用して、薬剤を注射することができる。
【００２０】
しかし、しばしば一部投与量のみをリザーバから放出する。この場合、分配する量が決まると、圧縮ばねが、投与する液体薬剤の量に対応する距離にある機械止めにプランジャ・ドライバを移動させる。本発明の実施例は、プランジャを機械的、電気的に、又は手動で進める。
【００２１】
本発明の別の実施形態は、複数回分の液体薬剤を１つの瓶から送出するためのチューブ一式を含む。チューブは、一端部が瓶に取り付けられ、他端部がリザーバに取り付けられる。チューブは多数回投与に再使用することができる。圧入ルアー・テーパ・フィッティングが事前充填カートリッジを穿刺するのに使用されるスパイク又は針に取って代わり、チューブをカセット上部本体に取り付ける。投与量を正確に送出するために、本発明は、チューブを通る薬剤の流れを遮断するポンプ機構を想定している。複数回投与を意図するときに重要なのは、汚染の問題である。したがって、本発明は交換可能な部品を想定している。交換可能な部品の例として、ノズル及び先端部、並びにカセット／皮膚境界面がある。同様に、部品を汚染から保護するためにフィルタが想定される。
【００２２】
本発明の別の態様では、本発明の装置及びシステムを使用して、液体薬剤を患者に注射し注入するための、方法の２段階順序を確立することができる。この方法は、まず、第１の開口と第２の開口とを有する流体経路が形成された本体部材にリザーバを流体連通させるステップを含む。本発明により想定されるように、好ましくは、リザーバは瓶、事前充填カートリッジ、又は患者に注入する薬剤を含む他の容器である。おそらくは、リザーバ容器はガラスから作られる。この構造により、リザーバは流体経路の第１の開口に係合する。
【００２３】
本発明の重要な詳細は、本体部材が経路の第２の開口と流体連通する衝撃チャンバを有することである。さらに、前記したように、本発明のシステムは衝撃発生器を含む。構造上、この衝撃発生器は、本体部材上に摺動可能に配置されて衝撃チャンバ内へ進むプランジャを有する。衝撃発生器は、プランジャに選択的に衝突して、衝撃チャンバ内の液体薬剤にスパイク液圧を発生させるラムをさらに含む。最後に、本発明のシステム及び装置は、本体部材の流体経路に衝撃チャンバを通して流体連通する、本体部材に接続された前記ノズルを含む。
【００２４】
本発明の動作では、リザーバが本体部材と流体連通した後、液体薬剤の一部投与量がリザーバから経路を通して衝撃チャンバ内へ移送される。これにより、薬剤の残りの投与量がリザーバ内に残される。本発明で意図しているように、衝撃チャンバ内の一部投与量の流体体積は、好ましくは約５〜１０マイクロリットルであり、約１〜２０マイクロリットルの範囲にある。さらに、多くの場合、リザーバ内にとどまる残りの投与量の流体体積は、一部投与量の流体体積の少なくとも２倍である。
【００２５】
一部投与量が衝撃チャンバ内に移送された後、衝撃発生器が作動して、液体薬剤の一部投与量を衝撃チャンバからノズルを通して患者に注射する。この注射は、患者の皮膚に孔を作るための第１の（スパイク）液圧で行われる。これは、残りの投与量を続けて注入することを考慮している。したがって、一部投与量が第１の液圧で注射された後、残りの投与量がリザーバからノズルを通して第２の液圧で患者に注入される。本発明の目的で、第１の液圧は第２の液圧よりも大きく、好ましくは第２の液圧の少なくとも５倍である。これにより、衝撃チャンバからの一部投与量の注射と、リザーバからの残りの投与量の注入とが続けて達成され、ほぼ連続した液体薬剤の流れを患者に提供する。
【００２６】
本発明の新規な特徴、並びに構造及び動作に関する本発明自体は、添付の図面と組み合わせて添付の説明を読めば最もよく理解できよう。図中、同様の参照符号は同様の部品を示す。
【実施例】
【００２７】
本発明による、患者の組織に液体薬剤を注射するための別個のリザーバを持つ無針ジェット式注射器システムが図１に示され、全体として１０で示される。システム１０は、ジェット式注射器１４とリザーバ１６とを接続するカセット装置１２を含む。開口１８が、カセット１２の一部である先端部２０に形成される。カセット１２に形成された、先端部２０を囲むカセット／皮膚境界面２２により、患者の皮膚とカセット１２との間に境界面が作られる。制御機構２６がシステム１０に組み込まれ、リザーバ１６の上端部３４でジェット式注射器１４及びリザーバ１６と相互に作用して測定量の液体薬剤を放出する。
【００２８】
図２では、カセット１２が上部本体２８と下部本体３０とを有することが見て取れる。流体経路３２が上部本体２８と下部本体３０との境界面に形成される。また、リザーバ１６は下端部３６を有し、下端部３６で上部本体２８に取り付けられる。流体経路３２がリザーバ１６の下端部３６の開口３８から衝撃チャンバ４２の開口４０へ通じることが見て取れる。スパイク３９が、上部本体２８から、リザーバ１６の下端部３６の開口３８を通してリザーバ１６内へ上向きに延びる。このスパイク３９には、流体経路３２につながる縦チャネル４１が形成される。下端部５２にゴム・ストッパ５０を有する事前充填カートリッジ４８がリザーバ１６内に配置される。ゴム・ストッパ５０はスパイク３９により穿刺される。これにより、液体薬剤がリザーバ１６からスパイク３９のチャネル４１を通して流体経路３２に沿って流れ、衝撃チャンバ４２に流入する。衝撃チャンバ４２がカセット１２内に形成され、上部本体２８から下部本体３０へ延びることが図２に見て取れる。さらに、カセットの下部本体３０は、衝撃チャンバ４２から延びて先端部２０の開口１８で終端するノズル４４を形成する。図２を図１と関連させて参照すると、下部本体３０がカセット／皮膚境界面２２を形成することが理解できる。真空システム４６が、境界面２２でカセット１２と患者の皮膚との間に吸引を生じさせ、注射に備えて皮膚を安定させる。
【００２９】
図１と図２を関連させて参照すると、ジェット式注射器１４が、液体薬剤を皮膚に通すのに必要なエネルギーを供給するための衝撃発生器５４をさらに必要とすることが理解できる。動作時に、図２に示すように、ラム５６が衝撃発生器５４から突出して、衝撃チャンバ４２内に形成されたプランジャ５８に嵌入する。注射を開始するために、衝撃発生器５４は蓄積エネルギーを使用してラム５６を加速し、ラム５６がプランジャ５８に衝突する。衝撃チャンバ４２内の液体薬剤が、衝撃チャンバ４２からノズル４４を通して先端部２０で開口１８へ押し出され、患者の皮膚を穿刺する。ラム５６がプランジャ５８に衝突するときにラム５６により生じる圧力が圧力波を発生させることが理解できる。この圧力波は流体経路３２を通ってリザーバ１６に戻る。大きな振幅の圧力波は事前充填カートリッジ４８に損傷を与えるため、本発明のシステム１０はこの圧力波を減衰させるように設計される。図２は、圧力波を減衰させる流体経路３２の好ましい実施例を示す。曲がりくねった流体経路３２には、リザーバ１６と衝撃チャンバ４２との間に複数の直角６０が形成され、圧力波を逸らす。
【００３０】
図３を参照すると、別の実施例はプランジャ５８に形成されたフラップ６２を含む。このフラップ６２は、ラム５６がプランジャ５８に衝突するときに、流体経路３２の開口４０よりも下方へ突出して衝撃チャンバ４２内へ延びる。これにより、プランジャ５８に圧力が加わるときに流体経路３２が閉鎖される。
【００３１】
図４は、ばね６６に取り付けられたボール逆止弁６４を使用する実施形態を示す。ボール逆止弁６４は、流体経路３２に沿って加えられる圧力に応答してリザーバ１６の開口３８を閉鎖する。
【００３２】
図５は、フラップ弁６８を持つ別の実施形態を示す。フラップ弁６８は、ラム５６がプランジャ５８に衝突することにより生じる圧力波からリザーバ１６を隔離する。
【００３３】
図６は、フラップ弁６８とエラストマー隔壁７０とが一体成形された、さらに別の実施形態を示す。この実施形態は、流体経路３２を囲むエラストマー材料に隆起７２を含む。隆起７２は圧力波により圧縮されて、流体経路３２を密閉する。
【００３４】
図７を参照すると、総投与量カートリッジ４８を投与するためのシステム１０は、衝撃チャンバ４２に送出される液体薬剤の総量を示す。この実施例では、弁７４が流体経路３２を閉鎖する。親ねじ７８により進められる可動ストッパ７６も示される。単一のばね８０を衝撃発生器５４として使用して、薬剤を注射する。交換可能なキャップ８１を使用して、システム１０の不使用時に先端部２０を覆うことが理解できる。図７を図１と関連させて参照すると、真空源２４が示される。
【００３５】
図８は、エンコーダ８２がモータ８４に取り付けられるシステム１０の実施例を示す。モータ８４が親ねじ７８を進めて、カートリッジ４８から分配する薬剤の量を決定する。エンコーダ８２は、ドライバ８６がカートリッジ４８のゴム・ストッパ５０を適切な距離だけ進ませた時を示している。
【００３６】
図９は、複数回投与瓶８８と共に使用されるシステム１０を示す。ポンプ９０がチューブ９２に取り付けられ、チューブ９２は複数回投与瓶８８及び上部本体２８に取り付けられる。ルアー・アタッチメント９４がチューブ９２を上部本体２８にしっかりと固定する。ポンプ９０はチューブ９２を通る薬剤の流れを遮断し、注射する薬剤の量を決定する。下部本体３０の交換可能な部品も示される。これらの部品には、先端部２０とカセット／皮膚境界面２２とが含まれる。
【００３７】
本発明の動作では、連続した２段階プロセスで液体薬剤が患者（図示せず）に注射され注入される。このプロセス又は方法の事象の順序が、図１０Ａ、図１０Ｂ、図１０Ｃ、図１０Ｄに概略的に示される。すなわち、まず図１０Ａでは、本体部材２８／３０（前記上部本体２８及び下部本体３０を組み合わせたもの）に、開口３８と開口４０との間で本体部材２８／３０を通って延びる流体経路３２が形成される。また、流体経路３２の開口３８と流体連通するように構成されたスパイク３９が、本体部材２８／３０の一部として示される。さらに、ノズル（先端部）２０が、流体経路３２の開口４０と流体連通するように本体部材２８／３０に形成される。
【００３８】
リザーバ１６が本体部材２８／３０に係合すると、スパイク３９はストッパ５０を穿刺して、リザーバ１６と本体部材２８／３０の流体経路３２との間に流体連通を確立する。この係合が達成されると、プランジャ５８をノズル（先端部）２０から引き出して衝撃チャンバ４２を生成することができる（図１０Ｂ参照）。これが行われると、液体薬剤の一部投与量９６がリザーバ１６から流体経路３２を通して衝撃チャンバ４２へ移送される。これにより、液体薬剤の残りの投与量９８がリザーバ１６内に残される。本発明で意図しているように、一般に、一部投与量９６は約１〜２０マイクロリットルの範囲にある。さらに、一般に、残りの投与量９８の体積は、一部投与量９６の体積の２倍よりも大きく、場合によってはさらに大きい。例えば、本発明で意図しているように、リザーバ１６は同一の患者等に連続して注入するための複数回分の投与量を含むことができる。いずれの場合にも、システム１０が図１０Ｂに示す構成にあるときには、第１に注射ステップ（図１０Ｃ）及び第２に注入ステップ（図１０Ｄ）を含む２段階の連続動作を行える状態にある。一般に、注射ステップと注入ステップとは続けて達成され、ほぼ連続した液体薬剤の流れを患者に提供する。しかし、実際問題として、注射ステップと注入ステップとの間にわずかな遅れ（例えば１／２秒）が生じることがある。
【００３９】
注射ステップでは、プランジャ５８が衝撃発生器５４により衝撃チャンバ４２内に急速に進められる（図２〜図４参照）。これにより、一部投与量９６がノズル（先端部）２０を通して矢印９９の方向へ急速に放出されて、患者に注射される。この動作によって衝撃チャンバ４２内の一部投与量９６に発生する液圧は、一瞬のスパイク状の圧力である。本発明の目的に関し、この注射ステップの目的は、患者の皮膚に穴をあけ、次にこの穴を通して残りの投与量９８の注入を達成できるようにすることである。したがって、注射ステップ後に、リザーバ１６から流体経路３２を通りノズル（先端部）２０を通して外へ延びる流体通路があることが重要である。
【００４０】
図１０Ｄに示すように、注射ステップ（図１０Ｃ）後に注入ステップが完了し、残りの投与量９８が患者に注入される。この注入は、プランジャ９７をリザーバ１６内に進めることにより行われ、当業界で公知の方法により達成することができる。前記したように、意図した残りの投与量９８の注入が達成された後に、さらなる残りの投与量９８’がリザーバ１６内にまだ残っている。重要なのは、この注入に使用される液圧が注射ステップで使用される圧力よりも小さいことである。すなわち、これが可能なのは、注入は時間をかけて行うことができ、患者の皮膚を通る射入口が既に作られているからである。本発明で意図しているように、一般に、注射圧力は注入圧力の約５倍である。この差の重要な利点は、ガラス又は液体薬剤を貯蔵するのに適した他の材料からリザーバ１６を作ることができる点である。
【００４１】
本明細書中に詳細に図示し開示した特定の連続衝撃／送出液体薬剤注射器は、完全に前記目的を達成することができ、前記利点をもたらすことができるが、本発明の現在好ましい実施例を単に例示したものであり、本明細書中に示す構成又は設計の詳細に限定を加えるものではないことを理解されたい。
【図面の簡単な説明】
【００４２】
【図１】本発明の別個のリザーバを持つジェット式注射器システムの側面斜視図である。
【図２】好ましい実施例の曲がりくねった流体経路を特に示す、図１の平面に見られるカセットと基幹の注射器との境界面の垂直断面図である。
【図３】液体薬剤の供給源に通じる圧力波を減衰させるための手段を示す、図１の平面に見られるカセットの垂直断面図である。
【図４】液体薬剤の供給源に通じる圧力波を減衰させるための手段を示す、図１の平面に見られるカセットの垂直断面図である。
【図５】液体薬剤の供給源に通じる圧力波を減衰させるための手段を示す、図１の平面に見られるカセットの垂直断面図である。
【図６】液体薬剤の供給源に通じる圧力波を減衰させるための手段を示す、図１の平面に見られるカセットの垂直断面図である。
【図７】注射する総投与量をカセット・チャンバに移送することに基づく注射システムの、図１の平面に沿って見られる垂直断面図である。
【図８】一部投与カセットのための電動式サブシステムを持つ注射システムの、図１の平面に沿って見られる垂直断面図である。
【図９】複数回投与瓶と共に使用される交換可能な先端部を持つカセットの、図１の平面に見られる垂直断面図である。
【図１０Ａ】リザーバが本体部材と係合する前の、本発明のシステムの概略図である。
【図１０Ｂ】リザーバが本体部材と係合した後、かつ薬剤の一部投与量がリザーバから引き出された後の、図１０Ａに示すシステムの概略図である。
【図１０Ｃ】一部投与量が患者に注射された後の、図１０Ｂに示すシステムの概略図である。
【図１０Ｄ】残りの投与量の少なくとも一部が患者に注入された後の、図１０Ｂに示すシステムの概略図である。
【図１】
2005087722.tif 000003
【図２】
2005087722.tif 000004
【図３】
2005087722.tif 000005
【図４】
2005087722.tif 000006
【図５】
2005087722.tif 000007
【図６】
2005087722.tif 000008
【図７】
2005087722.tif 000009
【図８】
2005087722.tif 000010
【図９】
2005087722.tif 000011
【図１０Ａ】
2005087722.tif 000012
【図１０Ｂ】
2005087722.tif 000013
【図１０Ｃ】
2005087722.tif 000014
【図１０Ｄ】
2005087722.tif 000015